(57)【要約】【課題】タッチパネルの周囲の構造を工夫することで、比較的大型のタッチパネルを使用することができ、容器の軽量化を実現しつつ比較的大型のディスプレイを用いることができるようにする。【解決手段】容器１の開口２の周縁部２１の内側面に接着シート６を介して導電性の枠体５の外側面を貼付し、枠体５の内側面を接着シート７を介してタッチパネル４の外側面に貼付した。開口２内に枠体５が露出することがなく、枠体５は外部から視認されることがない。【選択図】図２
2008310726.tif 000002
【特許請求の範囲】
【請求項１】
内部にディスプレイを収納し、前記ディスプレイの表示面が対向する開口を形成した容器と、
前記開口の全面を被覆する透光性のタッチパネルであって周縁部が前記開口の周縁部の内側面に対向するタッチパネルと、
前記開口の周縁部の内側面と前記タッチパネルの周縁部の外側面との間に配置される接地された導電性薄板の枠体と、を備えた防爆形表示操作装置。
【請求項２】
前記開口の周縁部の内側面と前記枠体の外側面との間に位置する第１の接着層と、前記枠体の内側面と前記タッチパネルの周縁部との間に位置する第２の接着層と、をさらに備えた請求項１に記載の防爆形表示操作装置。
【請求項３】
前記枠体の一部に外側に延出する接続片を設け、前記タッチパネルの主面に平行な方向で、前記枠体の外周端と、前記タッチパネルの外周端と、の間に位置する前記開口の周縁部の内側面に、内側に突出した段部を形成し、前記段部の一部に前記接続片が貫通する凹部を形成した請求項１又は２に記載の防爆形表示操作装置。
【発明の詳細な説明】
【技術分野】
【０００１】
この発明は、危険区域内の電気機器の制御に使用され、電気機器の状態等の情報を表示するディスプレイ、及びディスプレイの外側で押圧操作を受けるタッチパネルを備えた防爆形表示操作装置に関する。
【背景技術】
【０００２】
機器に対して動作条件等を設定入力する際には、機器の状態等の情報を参照する必要がある。また、機器に現在設定されている動作条件等の内容を確認する必要もある。このような情報を作業者に認識させつつ設定入力操作を受け付けるために、情報を表示するディスプレイと、ディスプレイの外側で押圧操作を受けるタッチパネルと、を備えた表示操作装置が用いられる。
【０００３】
ところが、引火性ガス雰囲気等の危険区域内での使用を前提とした場合、ディスプレイを防爆構造の容器内に収納する必要があり、ディスプレイの前面にタッチパネルを直接配置することはできない。
【０００４】
そこで、開口窓を耐圧性透光板で封止した耐圧防爆形の容器内で透光板に表示面を対向させてディスプレイを配置するとともに、透光板の外側面にタッチパネルを配置し、容器内にタッチパネルを本質安全防爆化するための安全保持器を備えた防爆形表示操作装置がある（例えば、特許文献１参照。）。
【特許文献１】特開平６−２９５６３７号公報
【発明の開示】
【発明が解決しようとする課題】
【０００５】
しかしながら、可搬型の防爆形表示操作装置では、軽量化の要請が強いために樹脂製の容器を用いる必要があるが、絶縁材料の部材については手指が接触する部分の面積に規格上の制限があり、何らの手段も講じないとタッチパネルを大型化することができない。このため、可搬型の防爆形表示操作装置は、タッチパネルが対向するディスプレイが小型にならざるを得ず、一度に表示できる情報量が限られてしまう。
【０００６】
防爆構造の規格では接地された導電性材料で包囲することで絶縁材料の部材の面積についての制限が緩和されるが、単にタッチパネルの周囲を導電性の枠体で包囲するだけでは外観が損なわれる問題がある。
【０００７】
この発明の目的は、タッチパネルの周囲の構造を工夫することで、比較的大型のタッチパネルを使用することができ、容器の軽量化を実現しつつ比較的大型のディスプレイを用いることができる防爆形表示操作装置を提供することにある。
【課題を解決するための手段】
【０００８】
上記の課題を解決するための手段として、この発明の防爆形表示操作装置は、容器、タッチパネル、枠体を備えている。容器は、内部にディスプレイを収納し、ディスプレイの表示面が対向する開口を有する。タッチパネルは、透光性材料からなり、周縁部が開口の周縁部の内側面に対向する状態で開口の全面を被覆する。枠体は、導電性薄板からなり、開口の周縁部の内側面とタッチパネルの周縁部の外側面との間に、接地された状態で配置される。
【０００９】
この構成では、容器に形成された開口の周縁部とタッチパネルの周縁部との間に接地された導電性の枠体が配置される。したがって、防爆構造の規格上、タッチパネルの面積に対する制限が緩和される。枠体が容器の表面に大きく露出することがなく、外観が損なわれない。
【００１０】
この構成において、開口の周縁部の内側面と枠体の外側面との間に位置する第１の接着層と、枠体の内側面とタッチパネルの周縁部との間に位置する第２の接着層と、をさらに備えてもよい。枠体の内外に配置された第１及び第２の接着層により、開口の気密性を確保することができる。
【００１１】
また、枠体の一部に外側に延出する接続片を設け、タッチパネルの主面に平行な方向で、枠体の外周端と、タッチパネルの外周端と、の間に位置する開口の周縁部の内側面に、内側に突出した段部を形成し、段部の一部に接続片が貫通する凹部を形成してもよい。凹部を貫通して容器の内部に露出した接続片を介して枠体を容易に接地させることができる。
【発明の効果】
【００１２】
この発明によれば、容器に形成された開口の周縁部とタッチパネルの周縁部との間に導電性の枠体を配置することにより、比較的大型のタッチパネルを使用することができ、容器の軽量化を実現しつつ比較的大型のディスプレイを用いることができる。
【発明を実施するための最良の形態】
【００１３】
図１は、この発明の実施形態に係る防爆形表示操作装置の外観図である。一例として、防爆形表示操作装置１０は、危険区域内に設置されている機器に制御データを設定する際に使用される教示用ペンダントである。
【００１４】
防爆形表示操作装置１０は、本質安全防爆構造の容器１内に液晶ディスプレイを収納して構成されている。容器１は、本体１１と裏蓋１２とからなる。本体１１は、前面に開口２及びキースイッチ３を備えている。開口２は、全面が透光性のタッチパネル４で覆われており、タッチパネル４の内側面には容器１の内部に収納した液晶ディスプレイが対向する。液晶ディスプレイは、情報を表示する。
【００１５】
図２（Ａ）及び（Ｂ）は、上記防爆形表示操作装置における開口周縁部の断面図である。容器１の本体１１に形成された開口２の周縁部２１には、タッチパネル４の周縁部４１及び枠体５が配置されている。周縁部２１の内側面には、凹部２２及び段部２３が形成されている。凹部２２には、タッチパネル４の周縁部４１が挿入される。段部２３には、枠体５が挿入される。
【００１６】
タッチパネル４は、一例として、内側から外側に向かって、アクリル板４２、電極部４３、ＴＰシート４４をこの順に積層して構成されている。電極部４３は、下電極シート、電極、上電極シートを積層して構成されている。ＴＰシート４４は、電極部４３を保護するとともに表面を平滑に保つ。アクリル板４２は、電極部４３及びＴＰシート４４を支持する。
【００１７】
枠体５は、例えば真鍮等の導電性金属薄板を素材としてプレス加工によって形成されている。
【００１８】
図３に示すように、タッチパネル４は、開口２よりも面積の大きい開口２の相似形に形成されている。枠体５の開口部は、開口２よりも面積の大きい開口２の相似形にされている。枠体５の外形は、タッチパネル４よりも面積の小さい開口２の相似形にされている。枠体５は、一部から外側に延出した接続片５１が形成されている。
【００１９】
枠体５は、図２（Ａ）に示すように、接着シート６（第１の接着層）を介して外側面を開口２の周縁部２１の内側面に貼付されており、接着シート７（第２の接着層）を介して内側面をタッチパネル４の外側面に貼付されている。
【００２０】
タッチパネル２の主面に平行な方向で、枠体５の外周端と、タッチパネル４の外周端と、の間には所定の距離がある。この間でタッチパネル４は接着シート７を介して段部２３の内側面に貼付されている。
【００２１】
図２（Ｂ）に示すように、段部２３には一部に凹部２３Ａが形成されている。凹部２３Ａには、接続片５１が貫通する。接続片５１は、凹部２３Ａを貫通して容器４の内部で取付ネジ５２によって本体１１の内側面に固定され、図示しない配線を介して接地されている。
【００２２】
絶縁性のタッチパネル４は、表面に操作者の手指が接触するために静電気を帯びる可能性があり、防爆構造の規格上、面積に制限を受けるが、接地された導電性の枠体５で包囲することによってこの制限が緩和される。このため、タッチパネル４の面積を大きくすることができ、容器１内でタッチパネル４に対向して収納されるディスプレイの面積も大きくすることができる。一度に多量の情報をディスプレイに表示することができる。
【００２３】
枠体５は、開口２の周縁部２１の内側面に貼付されるため、開口２内に露出することがない。このため、容器１の外部から枠体５を視認することはできず、防爆形表示操作装置１０の外観を損なうことがない。
【００２４】
枠体５の内外には、接着シート６，７が位置しているため、開口２の周縁部における気密性及び水密性が確保される。
【００２５】
上記の実施形態はいずれも一例であり、この発明はこれらに限定されるものではなく、この発明の範囲内で種々の変更を加えることが可能である。
【図面の簡単な説明】
【００２６】
【図１】この発明の実施形態に係る防爆形表示操作装置の外観図である。
【図２】上記防爆形表示操作装置における開口の周縁部近傍の断面図である。
【図３】上記防爆形表示操作装置における開口、タッチパネル及び枠体の形状を説明する図である。
【符号の説明】
【００２７】
１  容器
２  開口
４  タッチパネル
５  枠体
６  接着シート（第１の接着層）
７  接着シート（第２の接着層）
２１  周縁部
２３  段部
５１  接続片
【図１】
2008310726.tif 000003
【図２】
2008310726.tif 000004
【図３】
2008310726.tif 000005